(57)【要約】【課題】  簡単な操作により切断工具を使わなくても開封が可能な結束バンドの提供。【解決手段】  係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は４つの壁からなるほぼ四角管状に形成されてなるとともに、上記ラチェット爪が形成される側の壁と相対する壁に、前記バンド部の幅寸法以上の幅をもって当該壁が容易に切り離されることを可能とするための切り込み溝を備えた。【選択図】図１
2005193928.tif 000002
【特許請求の範囲】
【請求項１】
係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は４つの壁からなるほぼ四角管状に形成されてなるとともに、上記ラチェット爪が形成される側の壁と相対する壁に、前記バンド部の幅寸法以上の幅をもって当該壁が容易に切り離されることを可能とするための切り込み溝を備えたことを特徴とする結束バンド。
【請求項２】
係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は３つの壁からなるほぼ矩形樋状に形成されてなるとともに、上記ラチェット爪は当該矩形樋状の底面部に形成され、なおかつ上記ラチェット爪と相対する側に上記矩形樋状の側壁部を連結する橋状部が形成されてなり、前記バンド部の幅寸法以上の幅をもって当該橋状部が容易に切り離されることを可能とするための切り込み溝を備えたことを特徴とする結束バンド。
【請求項３】
係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は４つの壁からなるほぼ四角管状に形成されてなるとともに、上記ラチェット爪が形成される側の壁に、前記バンド部の幅寸法以上の幅をもって当該壁が前記ラチェット爪と共に容易に切り離されることを可能とするための切り込み溝を備えたことを特徴とする結束バンド。
【請求項４】
係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は４つの壁からなるほぼ四角管状に形成されてなり、当該係止ヘッド部の周囲に平面部を備えてなるとともに上記バンド部の一端は当該平板部に繋がっており、当該係止ヘッド部が当該平面部から容易に切り離されることを可能とするための切り込み溝を、当該平面部の当該係止ヘッド部周囲に備えたことを特徴とする結束バンド。
【請求項５】
切り込み溝の横断面がＶ字形状である請求項１乃至４のいずれかに記載の結束バンド。
【請求項６】
切り込み溝の横断面が矩形形状である請求項１乃至４のいずれかに記載の結束バンド。
【請求項７】
切り込み溝の横断面がＵ字形状である請求項１乃至４のいずれかに記載の結束バンド。
【請求項８】
切り離し可能とされる壁が前記係止ヘッド部の先端に向かって厚さが薄くなるよう形成してなる請求項１乃至８のいずれかに記載の結束バンド。
【発明の詳細な説明】
【技術分野】
【０００１】
本発明は、ものを結束したり、袋などの梱包物を縛って封印したりする場合に用いられるバンドに関するものである。
【背景技術】
【０００２】
従来より棒状や管状の長いものを結束したり、電線を束ねたり固定したり、あるいは袋状の容器の口を封鎖するために樹脂製のいわゆる結束バンドが広く用いられてきた。
【０００３】
この種の結束バンドには機能的に大きく２種類のものがあり、一つは再利用ができない使い捨てタイプのもの、もう一つは再利用が可能なタイプのものである。両者とも鋸状の凹凸を片面に設けたバンド部と、このバンド部を挿通しなおかつバンド部が抜けないようにこの凹凸に係合するラチェット爪を内蔵した係止ヘッド部を備え、この係止ヘッド部がバンド部の一端に一体に形成されたものがほとんどである。そして、再利用の可否はこのラチェット爪を固定式か可動式かによって分けている。つまり、再利用ができないタイプのものは、ラチェット爪が係止ヘッド部の内部に固定されていてバンド部を挿通した場合に、係止ヘッド部の外部からラチェット爪が操作できないような構造となっているのに対し、再利用可能タイプはラチェット爪に一体に形成されたレバーが係止ヘッド部の外部に突き出ており、バンド部を挿通した状態でもこのレバーが操作できるようになっているものである。
【特許文献１】特開２００３−１０２１２２号公報
【特許文献２】特開２０００−３５５３５７号公報
【０００４】
用途に関しては、再利用できないタイプは、特に袋容器等の封印手段としての用途のように再開封を不要とする用途に用いられ、一方再利用可能タイプは、電気器具の電源コードを束ねる場合などの用途に主として利用されてきた。
【０００５】
しかしながら、特に再利用できないタイプに関しては、強固な締め付け状態で利用されることが多く、また元々手で引きちぎることができるような素材は使っていないために、その切断開封にはニッパなどの切断工具を用いなければならなかった。
【発明の開示】
【発明が解決しようとする課題】
【０００６】
そのような場合にあって、大量の切断を要するような場合には、切断工具を使っての切断作業が煩雑であった。
【０００７】
しかしながら、簡単に切断できてしまったのでは、封印手段としての機能を果たし得ないこととなり、重大な問題でもある。
【０００８】
そこでこの発明の結束バンドは上記課題を解決すると共に、本来の結束バンドとしては決して従来のものに劣ることのない性能を発揮しつつも、簡単な操作により工具を使わなくても開封が可能な結束バンドを提供するものである。
【課題を解決するための手段】
【０００９】
すなわちこの発明の結束バンドは、上記課題を解決するために以下の特徴を備えるものである。
（１）係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は４つの壁からなるほぼ四角管状に形成されてなるとともに、上記ラチェット爪が形成される側の壁と相対する壁に、前記バンド部の幅寸法以上の幅をもって当該壁が容易に切り離されることを可能とするための切り込み溝を備えたこと。
（２）係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は３つの壁からなるほぼ矩形樋状に形成されてなるとともに、上記ラチェット爪は当該矩形樋状の底面部に形成され、なおかつ上記ラチェット爪と相対する側に上記矩形樋状の側壁部を連結する橋状部が形成されてなり、前記バンド部の幅寸法以上の幅をもって当該橋状部が容易に切り離されることを可能とするための切り込み溝を備えたこと。
（３）係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は４つの壁からなるほぼ四角管状に形成されてなるとともに、上記ラチェット爪が形成される側の壁に、前記バンド部の幅寸法以上の幅をもって当該壁が前記ラチェット爪と共に容易に切り離されることを可能とするための切り込み溝を備えたこと。
（４）係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めとする結束バンドにおいて、係止ヘッド部は４つの壁からなるほぼ四角管状に形成されてなるとともに、当該係止ヘッド部の周囲に平面部を備えてなり、当該係止ヘッド部が当該平面部から容易に切り離されることを可能とするための切り込み溝を、当該平面部の当該係止ヘッド部周囲に備えたこと。
（５）上記切り込み溝の横断面がＶ字形状、矩形形状またはＵ字形状であること。
（６）切り離し可能とされる壁が前記係止ヘッド部の先端に向かって厚さが薄くなるよう形成してなること。
【発明の効果】
【００１０】
この発明の結束バンドは上記のように構成したので、本来の結束バンドとしては決して従来のものに劣ることのない性能を発揮しつつも、簡単な操作により工具を使わなくても開封が可能となった。
【発明を実施するための最良の形態】
【００１１】
以下、この発明を実施するための最良の形態を図に基づき詳述する。この発明のポイントは、使用中の常態においては何ら係止ヘッド部の機能を損なうことなく、人の手の力によって係止ヘッド部を損壊させることができるという構造にある。
【実施例１】
【００１２】
図１はこの発明の結束バンドの平面図、図２はその側面図及び図３はその縦断面（図１のＡＡ断面）図である。図において１は係止ヘッド部、２はバンド部及び３は係止ヘッド部の周囲に形成した平板部である。この結束バンドは当該技術分野で既知の様々な材料から製造することができる。好適な材料は、例えばナイロン、ポリプロピレン及び各種フルオロポリマーを含む樹脂である。そしてこの結束バンドは、当該技術分野において特定の適用例に合うように様々な寸法及び長さで形成することができる。もちろん、ストラップ、係止係止ヘッド及びその他の構成部品の寸法の選定に当たっては、所望の曲げ引張り強度がそれを決定するための１つの要素となる。
【００１３】
係止ヘッド部１は４つの壁で形成されるほぼ四角形の管状を呈しており、平板部３に突設されている。そしてその内部には、ラチェット爪４が形成されている。このラチェット爪４は同一素材で一体に形成されることが望ましいが、金属爪を装着するものとしても良いことはもちろんである。
【００１４】
バンド部２にはその片側面に後述する係止ヘッド部内のラチェット爪が係合する鋸状の凹凸（ラック）が形成されている。そしてこの結束バンドは図４に示すように被結束物にバンド部２を巻き付け、その先端を他端の係止ヘッド部１の間隙７に挿通する。係止ヘッド部内ではラチェット爪４がバンド部の凹凸５に係合し抜け止めとして機能している。この場合において、爪と反対側の壁８はバンド２を爪に押し当てる役割をしている。
【００１５】
図５は係止ヘッド部１の平面図である。平板部３は後述するこの発明の作用において、操作時に取っ手として機能する他、この面にシールなどを貼ることができるように大きなサイズとなっている。
【００１６】
図６は係止ヘッド部１の正面図である。前記壁８は図では高さｈを有し、係止ヘッド部１を構成する側壁９を連結する橋状に形成されている。この高さＨは最大長がヘッド部の高さと同じ寸法から、最小は強度的に係止ヘッド部１がバンドの抜け止め機能を損なわない程度のサイズまで小さくすることができると考える。
【００１７】
そしてこの壁８と側壁９との境界部には横断面が矩形の溝１０が縦方向に形成されている。図７は図６のＢＢ断面図である。また図８はＣＣ縦断面図である。図７に示すように溝１０は相当の深さを有しており、その底部の肉厚Ｄはわずかとなっている。この肉厚寸法Ｄは後述するこの発明の作用時において、この壁８が壁９から切り離されやすい程度の寸法にされなければならない。しかしながらその場合において、バンドの係止手段としての機能を損なわない程度の寸法でなければならない。つまり、バンドの係止手段としての性能を必要十分発揮しつつもなお一定の力によって切断され易いという相反する性能を両立させなければならない。より具体的には、両性能は壁８の高さＨと溝１０底部の肉厚Ｄとのバランスによるが、概ね０．３ｍｍ以下が好適である。なお、図８においてＷは間隙７の寸法であり、これはバンド部２の凹凸を除いた厚さよりも若干大きい程度であればよい。また、係止ヘッド部１が本来の機能を発揮するための要件としては、壁８の内面１１、ラチェット爪４の先端１２及び間隙７の下端部１３とで三角形が形成される位置関係にあることであり、なおかつ壁８の内面１１はラチェット爪４の先端１２に近い位置にあることがより高い係止性能を発揮する。つまり壁８の内面１１と間隙７の下端１３とでバンド部２の凹凸の山部をラチェット爪４に押さえ付けることになるのである。
【００１８】
以上のように構成したこの発明の結束バンドの使用に際しては以下の通りである。まず常法により、図４に示すように被結束物６にバンド部２を巻き付けた後、バンド部２の先端を係止ヘッド部１の間隙７に挿通して引き出して締め上げると図９及びその縦断面図である図１０に示すように、バンド部２の先端が係止ヘッド部１から突出した状態で内部のラチェット爪４がバンド部２のラックの凹凸５に係合した状態となる。
【００１９】
次に開封する際は、図１１及びその縦断面図である図１２に示すように、係止ヘッド部１から突出しているバンド部２の先端を手で握って壁８の方向に力一杯引くと溝１０でちぎれて壁８は切り離される。壁８が除去されてしまうことにより、係止ヘッド部１はその機能を発揮するために重要な壁が無くなることで、バンド部２はラチェット爪４へ押し付けられなくなり、係止ヘッド部１は機能しなくなる。
【００２０】
図１０に示すように、使用時の常態においては被結束物６の弾性及びハンド部２の弾性の合力によってバンド部２は図において下方向に比較的大きな力で引っ張られる。バンド部は自身の復元力により真っ直ぐになろうとする力が働くので図において、バンド部２を左方向に振ろうとする力も働くが、壁８の強度は基本的にはこの力に打ち勝てるだけの強度があれば十分である。したがってこの力に打ち勝つだけの強度を得るための溝部１０の底部厚Ｄ最低寸法と、材料強度に照らして、バンド部２の先端を手で掴んで強引に引っ張る力で破断できる最大の厚さとがうまくバランスすることが望ましい。
【００２１】
以上のように構成することによって、この発明の結束バンドは、開封時においてニッパ等の切断工具を使わずとも係止ヘッド部１の機能を失わせることが簡単にできる。しかしながら、使用時においてもかかる性能が係止ヘッド部１の係止機能を損なわしめるものではないという相反する性能を兼ね備えたものとなった。
【実施例２】
【００２２】
図１３乃至２５は、この発明の結束バンドの第２の実施例を示すものである。
【００２３】
係止ヘッド部１を機能を損壊させるための手段としては、前記第１の実施例同様係止ヘッド部１を構成している壁を破壊することが最も簡単な方法であると思われる。そしてその破壊すべき壁は、図１３及び図１４に示すように前記実施例１に示したようにラチェット爪４と反対側の他、ラチェット爪４ごとかかる側の壁のいずれかを選択することができる。
【００２４】
図１５は実施例１と同様に壁８を破断させる場合であるが、溝１０が係止ヘッド部１の内側に形成されている場合を示している。また溝１０はその横断面がＶ字形状を呈している。なお図において（イ）は係止ヘッド部１の平面図及び（ロ）は図１３におけるＢＢ横断面図である。
【００２５】
図１６は前記実施例とは逆に反対側の壁１２をラチェット爪４ごと破断させる場合である。溝１０は図１５同様係止ヘッド部１の内側に形成されている場合を示しているが、外側に形成しても良いことはもちろんである。
【００２６】
図１７は溝１０の形状の他の実施形態を示すものである。図において（イ）は前期実施例１と同様の横断面が矩形の溝を内側に形成した場合を示し、（ロ）は横断面がＵ字形状もしくは半円形に形成した場合を示している。
【００２７】
図１８は前記実施例１と同様に壁８を破断させる場合において、壁８の厚さを高さ方向において異ならしめた場合を示している。つまり、図に示すように、上に向かって薄くなるようになっている。図１９は（イ）その平面図及び（ロ）ＢＢ断面図である。
【００２８】
そして図２０に示すようにその作用においては、バンド部２を手で掴んで壁８方向に強引に押し倒すことにより薄い上方からめくれるように破断するので、破断させ易くなっている。
【００２９】
図２１は実施例１と図１８を融合させたような形態を示すものである。
【００３０】
さらに図２２は前記実施例１における場合において、壁８の上端１３を係止ヘッド部１の上端よりも突き出した場合を示している。壁８の先端１３が高くなるほど力点となる先端１３が作用点１４から遠くなり、てこの原理で壁８を破断する力が大きくなり溝の上端の作用点１４にかかるので破断し易くなる。
【００３１】
図２３は壁１２をラチェット爪４ごと破断させる場合において、ラチェット爪４の付け根部分の外側に溝１０を設けたものである。図１４はＢＢ横断面図であるが、側壁９との破断溝１０は図に示すように内側に設けてもまたは外側に設けても良い。そして図２５に示すように、バンド部２をラチェット爪４側に押し倒すことにより溝部１０で破断して壁１２がラチェット爪４ごと破断する。
【実施例３】
【００３２】
図２６乃至２９はこの発明の第３の実施例を示すものである。
【００３３】
前記実施例では係止ヘッド部１の壁を破断する手法を用いたが、この実施例では係止ヘッド部１をそっくり平板部３と切り離す方法を示すものである。図２６及び図２７に示すように係止ヘッド部１の周囲の平板部３の裏側に溝１０が設けられている。
【００３４】
このような構成とすることにより、バンド部２を手で掴んで係止ヘッド部１ごと前後に倒し込むと、この溝１０で破断し係止ヘッド部１は平板部３から切り離される。
【００３５】
この場合において、溝１０は上面にあってもよく、また溝の形状は前記各実施例に準じる。また、より破断しやすくするためには任意の位置に予め完全に破断した箇所を設けておくこととしてもよい。
【産業上の利用可能性】
【００３６】
この発明の結束バンドは上記のように構成したので、本来の結束バンドとしては決して従来のものに劣ることのない性能を発揮しつつも、簡単な操作により工具を使わなくても開封が可能となった。
【図面の簡単な説明】
【００３７】
【図１】この発明の第１の実施例を示す平面図である。
【図２】その側面図である。
【図３】その縦断面図である。
【図４】使用状態を示す縦断面図である。
【図５】係止ヘッド部を示す平面図である。
【図６】係止ヘッド部の正面図である。
【図７】そのＢＢ横断面図である。
【図８】そのＣＣ縦断面図である。
【図９】使用状態を示す要部斜視図である。
【図１０】その縦断面図である。
【図１１】作用状態を示す要部斜視図である。
【図１２】その縦断面図である。
【図１３】第２の実施例を示す係止ヘッドの部斜視図である。
【図１４】そのＢＢ断面図である。
【図１５】溝の配置例を示す平面図及びＢＢ断面図である。
【図１６】他の溝の配置例を示す平面図及びＢＢ断面図である。
【図１７】溝の形状例を示す平面図及びＢＢ断面図である。
【図１８】壁の厚さを示す要部縦断面図である。
【図１９】その平面図とＢＢ横断面図である。
【図２０】破断状態を示す縦断面図である。
【図２１】壁の他の形状例を示す縦断面図である。
【図２２】壁の他の形状例を示す縦断面図である。
【図２３】壁の他の形状例を示す縦断面図である。
【図２４】そのＢＢ断面図である。
【図２５】破断状態を示す要部縦断面図である。
【図２６】第２の実施例を示す係止ヘッドの部斜視図である。
【図２７】その縦断面図である。
【図２８】破断状態を示す縦断面図である。
【図２９】破断した状態を示す縦断面図である。
【符号の説明】
【００３８】
１  係止ヘッド部
２  バンド部
３  平板部
４  ラチェット爪
５  凹凸
６  被結束物
７  間隙
８  壁
９  側壁
１０  溝
１１  壁内面
１２  ラチェット爪先端
１３  間隙下端
１４  壁上端
１５  作用点
【図１】
2005193928.tif 000003
【図２】
2005193928.tif 000004
【図３】
2005193928.tif 000005
【図４】
2005193928.tif 000006
【図５】
2005193928.tif 000007
【図６】
2005193928.tif 000008
【図７】
2005193928.tif 000009
【図８】
2005193928.tif 000010
【図９】
2005193928.tif 000011
【図１０】
2005193928.tif 000012
【図１１】
2005193928.tif 000013
【図１２】
2005193928.tif 000014
【図１３】
2005193928.tif 000015
【図１４】
2005193928.tif 000016
【図１５】
2005193928.tif 000017
【図１６】
2005193928.tif 000018
【図１７】
2005193928.tif 000019
【図１８】
2005193928.tif 000020
【図１９】
2005193928.tif 000021
【図２０】
2005193928.tif 000022
【図２１】
2005193928.tif 000023
【図２２】
2005193928.tif 000024
【図２３】
2005193928.tif 000025
【図２４】
2005193928.tif 000026
【図２５】
2005193928.tif 000027
【図２６】
2005193928.tif 000028
【図２７】
2005193928.tif 000029
【図２８】
2005193928.tif 000030
【図２９】
2005193928.tif 000031